(57)【要約】過大なコストアップをもたらすことなく、記録されているコンテンツ情報の内容を表示する表示付き情報記録装置を提供することができる。ホスト機器と表示付き情報記録装置とから構成される情報処理装置で、表示付き情報記録装置は、汎用バスインタフェース部と表示デバイス制御部と表示デバイスとからなる表示部と、インタフェース制御部を有する記録部とからなる。ホスト機器はストレージインタフェース部を介してデータを記録部に記録するよう制御し、また記録したデータに関連する情報を表示する表示用データを汎用バス経由で表示部に送る。表示デバイス制御部と記録部はそれぞれ識別子を有し、ホスト機器はこれらの識別子を用いて両者の対応付けを行う。
2010035361.tif 000002
【特許請求の範囲】
【請求項１】
蓄積された情報を給電断の状態においても保持が可能な情報蓄積部と、データを記録する記録部と、汎用バスインタフェースと、ストレージインタフェースとを備え、前記情報蓄積部はホスト機器と前記汎用バスインタフェースを介して、前記記録部は前記ホスト機器と前記ストレージインタフェースを介してそれぞれ信号交換可能であり、前記情報蓄積部は、前記記録部に記憶されたデータの内容に関連付けた情報の蓄積を行なう、
ことを特徴とする情報記録装置。
【請求項２】
請求項１記載の情報記録装置であって、
前記情報蓄積部は、表示された情報を給電断の状態においても保持が可能な表示部である、
ことを特徴とする情報記録装置。
【請求項３】
請求項１記載の情報記録装置であって、
前記情報蓄積部は、視認性を持たないRF(Radio Frequency)タグである、
ことを特徴とする情報記録装置。
【請求項４】
請求項１記載の情報記録装置であって、
前記記録部と前記情報蓄積部は、それぞれ関連付けを可能とするための識別子を持つ、
ことを特徴とする情報記録装置。
【請求項５】
請求項１記載の情報記録装置であって、
前記記録部は磁気ディスク装置であることを特徴とする情報記録装置。
【請求項６】
請求項１記載の情報記録装置であって、
前記ストレージインタフェースとしてS-ATA(Serial Advanced Technology Attachment)を、前記汎用バスインタフェースとしてUSB(Universal Serial Bus)を用いる、
ことを特徴とする情報記録装置。
【請求項７】
請求項２記載の情報記録装置であって、
前記表示部は電子ペーパーであることを特徴とする情報記録装置。
【請求項８】
請求項２記載の情報記録装置であって、
前記表示部は、汎用バスインタフェース部と表示デバイス制御部と表示デバイスとからなり、前記表示デバイス制御部は識別子を割り当てられている、
ことを特徴とする情報記録装置。
【請求項９】
ホスト機器と、前記ホスト機器から着脱自在な情報記録装置とからなる情報処理装置であって、
前記情報記録装置は、蓄積された情報を給電断の状態においても保持が可能な情報蓄積部と、データを記録する記録部と、ストレージインタフェースと、汎用バスインタフェースとを備え、
前記ホスト機器は、前記記録部に前記ストレージインタフェース経由でデータを記録し、記録する前記データに関連する情報を前記汎用バスインタフェース経由で前記情報蓄積部に蓄積するよう制御する、
ことを特徴とする情報処理装置。
【請求項１０】
請求項９記載の情報処理装置であって、
前記ホスト機器は、前記記録部と前記情報蓄積部各々に付与される識別子を認識して、前記記録部と前記情報蓄積部の対応付けを行う、
ことを特徴とする情報処理装置。
【請求項１１】
請求項９又は１０記載の情報処理装置であって、
前記ホスト機器は、前記記録部への前記ストレージインタフェースを介した前記データの書き込みを監視し、書き込みの終了した時点で、前記情報蓄積部に蓄積する情報を作成し、前記汎用バスインタフェースを介して前記情報蓄積部に出力する、
ことを特徴とする情報処理装置。
【請求項１２】
請求項９又は１０記載の情報処理装置であって、
前記情報蓄積部は、表示された情報を給電断の状態においても保持が可能な表示部である、
ことを特徴とする情報処理装置。
【請求項１３】
請求項９又は１０記載の情報処理装置であって、
前記情報蓄積部は、視認性を持たないRFタグである、
ことを特徴とする情報処理装置。
【請求項１４】
請求項９又は１０記載の情報処理装置であって、
前記情報蓄積部に蓄積される情報には、前記記録部に記録されるデータに関連するコード情報が含まれる、
ことを特徴とする情報処理装置。
【請求項１５】
データを記録する記録部と前記データに関連するコード情報を給電断の状態においても保持可能な情報蓄積部と前記データが入力されるストレージインタフェースと前記コード情報が入力される汎用インタフェースとを備える情報記録装置と、
前記情報記録装置の前記コード情報を読み取るリーダー装置と、
前記情報記録装置を保存する保存庫と、
前記情報記録装置から読み取られた前記コード情報を管理する管理データベースとからなり、
前記情報記録装置の管理を行う情報処理システム。
【請求項１６】
請求項１５記載の情報処理システムであって、
前記情報蓄積部は、表示された情報を給電断の状態においても保持が可能な表示部である、
ことを特徴とする情報処理システム。
【請求項１７】
請求項１５記載の情報処理システムであって、
前記情報蓄積部は、視認性を持たないRFタグである、
ことを特徴とする情報処理システム。
【発明の詳細な説明】
【技術分野】
【０００１】
本発明は、情報記録装置、情報記録装置を駆動する情報処理装置、及びこれらを構成要素とする情報処理システムに関する。
【背景技術】
【０００２】
近年、コンピュータやデジタルカメラ、デジタルビデオカメラ、デジタル放送録画機などの情報電子機器の発達に伴って、電子データが日々生成されるようになってきている。これらのデータは、最終的には、記憶媒体に記憶されることになり、記憶媒体は、ホスト機器に対して、着脱自在に構成されているものも多い。【０００３】
近年、地上ディジタルテレビジョン放送（以下、「地上ディジタルTV放送」という）の番組映像を録画したり、或いは、移動コピー（ムーブ）を取ったりするための記録メディアとしてリムーバブル・ハードディスク・デバイス（例えばiVDRなど）を用いたテレビジョン機器（以下、「TV機器」という）が実用化されている。上記リムーバブル・ハードディスク・デバイスは、高速、且つ大容量である。そのため、例えばハイビジョン映像のような大容量コンテンツが容易に保存可能であり、該大容量コンテンツの録画やムーブを高速で行うことができる。また、ホスト機器であるTV機器に挿入するリムーバブル・ハードディスク・デバイスを、何度も交換して記録することで、大容量のデータである映像コンテンツを大量に蓄積保存することが可能になる。【０００４】
一方、記憶媒体に記憶されたデータは、電子データであるが故に可読性がなく、検索するには、ホスト機器に装着して読み出しディスプレイ上に表示したりしなければならない。【０００５】
そこで、書き換え可能な記録メディアに、該記録メディアに記録されている情報の内容や該情報に係わる付加的な情報等を示すインデックス、若しくはラベルを表示させることにより、記録内容を把握することができるようにした技術が提案されている。【０００６】
例えば、特許文献１には、デジタルカメラに対して着脱可能なメモリカードに液晶表示部を設け、画面表示を可能としたものが記載されている。また、特許文献２には、光磁気ディスクの記録内容を外部から簡単に参照できるために表示部を外囲器に収納したものが記載されている。また、特許文献３には、記録媒体に残量表示部を設け、メモリ残量の認識を可能とすることが記載されている。また、Lexar社電子ペーパー搭載USBメモリは、USBメモリ筐体に表示部を設け、メモリ残量の認識を可能としている（非特許文献１）。また、特許文献４には、媒体に記憶されているデータの内容と関連付けた表示を行なうことを考慮し、カメラ本体から送られた撮像データが、メモリカードのフラッシュメモリに記憶され、且つ該撮像データのサムネイル画像が液晶表示素子へ一覧表示される技術が記載されている。【０００７】
【特許文献１】特開平1-305784号公報
【特許文献２】特開平2-7252号公報
【特許文献３】特開平5-81824号公報
【特許文献４】特開2000-278573号公報
【非特許文献１】Lexar社電子ペーパー搭載USBメモリ、[２００８年９月１９日検索]、インターネット＜URL:https://w1.broadserver.jp/~gaaum000/products/products_3.html＞
【発明の開示】
【発明が解決しようとする課題】
【０００８】
ところで、リムーバブル・ハードディスク・デバイス等に代表されるディジタルデータの記録デバイス機器において、記録されているコンテンツ情報の内容や、該情報の付加的な情報を表示するために、電子ペーパー等に代表される表示デバイスを備えた場合、該表示デバイスをどのように制御するか、および、表示デバイス付きの記録デバイス機器をいかに安いコストで構成するか、が課題となる。【０００９】
リムーバブル・ハードディスク・デバイスの代表例であるiVDR （Information Versatile Disk for Removable usage）では、内蔵されているハードディスクは、大量に製造されている一般に入手可能な、シリアル・アドバンスト・テクノロジー・アタッチメント（Serial Advanced Technology Attachment、以下、S-ATAと略す。）インタフェースのハードディスクをもとに構成されており、別のインタフェースを持つ特殊なハードディスクを構成部品とすることはコストアップとなる。【００１０】
また、特許文献４のように、記録メディアと表示デバイスの双方をPCMCIA(Personal Computer Memory Card International Association)のコネクタに接続することも考えられるが、ホスト機器とのインタフェースをPCMCIAに制限するとともに、表示デバイス付きの記録デバイス機器の中で、信号変換を行なう半導体チップが必要となる。【００１１】
そこで、図１１に示すように、iVDRコネクタ１１１からの信号をマルチプレクサ(Multiplexer：MUX)１１５で分岐し、S-ATAだけを使って、記録部１１６の内容に関連させた情報を中央処理部（Central Processing Unit：CPU）１１２で生成し、ドライバ１１３を介して電子ペーパー１１４に表示する構成の表示付き情報記録装置１１０が考えられるが、S-ATAの分岐部の信号品質の維持が困難であり、またCPUの搭載等によりコストアップになるという課題がある。
【課題を解決するための手段】
【００１２】
上記の課題を解決するため、本発明においては、蓄積された情報を給電断の状態においても保持が可能な情報蓄積部と、データを記録する記録部とを備え、情報蓄積部はホスト機器と汎用バスインタフェースを介して信号交換可能であり、記録部はホスト機器とストレージインタフェースを介して信号交換可能であり、情報蓄積部は、記録部に記憶されたデータの内容に関連付けた情報の蓄積を行う構成の情報記録装置を提供する。【００１３】
また、本発明においては、ホスト機器と、ホスト機器から着脱自在な情報記録装置とからなる情報処理装置であって、この情報記録装置は、蓄積された情報を給電断の状態においても保持が可能な情報蓄積部と、データを記録する記録部と、ストレージインタフェースと、汎用バスインタフェースとを備え、ホスト機器は、この記録部にストレージインタフェース経由でデータを記録し、記録するデータに関連する情報を汎用バスインタフェース経由で情報蓄積部に表示するよう制御する構成の情報処理装置を提供する。【００１４】
更に、本発明においては、上記の情報記録装置に記憶されたデータの内容に関連付けた情報を読み取るリーダー装置と、情報記録装置を保存する保存庫と、情報記録装置から読み取られた情報を管理する管理データベースとからなる、情報記録装置の保存管理を行う情報処理システムを提供する。【００１５】
本発明において、好適には、記録部と情報蓄積部の制御部にそれぞれ識別子をもたせ、ホスト機器は両者の識別子を用いて一致性を判定する。更に、情報蓄積部は、表示された情報を給電断の状態においても保持可能な電子ペーパーなどの表示デバイスである。
【発明の効果】
【００１６】
以上の本発明の構成により、過大なコストアップをもたらすことなく表示付き情報記録装置を提供することができる。【００１７】
また、ホスト機器と情報記録装置とのインタフェースを汎用バスとストレージインタフェースという独立した２つのインタフェースで構成することにより、一般に入手容易なチップを使って、容易に表示付き情報記録装置、情報処理装置を構成することができる。
【図面の簡単な説明】
【００１８】
【図１】本発明の第１の実施例に係る、表示付き情報記録装置を用いた情報処理装置の全体構成を示す機能ブロック図である。
【図２】第２の実施例に係る、電子ペーパー付き情報記録装置を用いた情報処理装置の構成を示すブロック図である。
【図３】第２の実施例に係る、二つの電子ペーパー付き情報記録装置を用いた情報処理装置の構成を示すブロック図である。
【図４】第３の実施例に係る表示付き情報記録装置を用いた情報処理装置の全体構成を示す機能ブロック図である。
【図５】第３の実施例に係る、情報処理装置のデータ書き込み処理を説明するためのフローチャート図である。
【図６】第４の実施例に係わる、電子ペーパー付きiVDRの外観構成を示す図である。
【図７】第５の実施例に係わる、表示付きiVDRのプラグコネクタのピン配置の一例を示す図である。
【図８】第５の実施例に係わる、表示付きiVDRのプラグコネクタのピンアサイン表を示す図である。
【図９】第６の実施例に係わる、表示付き情報記録装置の保存管理システムを説明する図である。
【図１０】第７の実施例に係る、RFタグ付き情報記録装置を用いた情報処理装置の全体構成を示す機能ブロック図である。
【図１１】電子ペーパー付き情報記録装置の課題を説明するための図である。
【発明を実施するための最良の形態】
【００１９】
以下、本発明の実施の形態を、図面により詳細に説明する。
【実施例１】
【００２０】
図１は、第１の実施例に係る、表示付き情報記録装置とこの記録装置を駆動するホスト機器からなる情報処理装置の全体構成を示す機能ブロック図である。【００２１】
表示付き情報記録装置２は、表示部と記録部を持つ。表示部は、表示された情報を給電断の状態においても保持が可能な表示デバイス２３と、表示デバイス制御部２２と、汎用バスインタフェース部２１を持つ。表示部は、ホスト機器１と汎用バス１７を介して信号交換可能であり、記録部２４は磁気ディスク装置（Hard Disk Drive：HDD）または半導体メモリ装置（Solid State Drive：SSD）からなり、ストレージインタフェース部１８を介してホスト機器１と信号交換可能である。【００２２】
ホスト機器１は、通常のコンピュータ構成を有しており、中央処理部（Central Processing Unit、以下CPU）１１と、ROM１２と、汎用バス制御部１３、バスライン１５、I／Oコントローラ(I/O Controller)１６と、汎用バス１７と、ストレージインタフェース部１８とを備えている。CPU１１、ROM１２、汎用バス制御部１３、及びI／Oコントローラ１６は、バスライン１５を通じて各々が接続されている。また、CPU１には、RAM１４が内蔵されている。I／Oコントローラ１６と、表示付き情報記録装置側２のインタフェース制御部２５とは、表示付き情報記録装置２がホスト機器１に挿入されることにより、ストレージインタフェース部１８を通じて接続される。【００２３】
なお、図示・説明は省略するが、ホスト機器１には、図１に示した各部に加えて、上述したホスト機器１の各部に安定した電圧で直流電力を供給するための直流安定化電源回路が内蔵される。また、本明細書において、汎用バス１７と汎用バスインタフェース部２１を総称して汎用バスインタフェース、ストレージインタフェース部１８とインタフェース部２５を総称してストレージインタフェースと呼ぶ場合がある。【００２４】
本実施例における、表示付き情報記録装置２は、例えば、半導体メモリや、磁気ディスク装置を用いたiVDRであり、iVDR対応のホスト機器１に挿入した状態で使用される。一方、表示付き情報記録装置２の表示部の表示デバイス２３は、例えば、電子ペーパーやメモリ性を有する液晶が使用されており、表示デバイス制御部２２の制御下で、各種のデータを表示する。表示デバイス２３上に表示されるデータ（表示対象データ）としては、例えば、記録部２４に格納される種々のコンテンツや、それらコンテンツに係わる諸情報や、記録部２４の空き容量や、表示付き情報記録装置２の所有者に係わる情報等が挙げられる。【００２５】
さて、ホスト機器１において、ROM１２には、例えば、制御プログラムが格納されており、また、不揮発性の固定データが記憶されている。ROM１２には、上記に加えて、更に、表示付き情報記録装置２の表示デバイス２３に表示されるデータ（以下、「表示対象データ」と表記する。）を、記録部２４に記録されたデータ（「記録対象データ」）から変換するためのアプリケーション・プログラム（以下、「変換用AP」と表記する。）なども格納されている。【００２６】
汎用バス制御部１３は、CPU１１の制御下で、種々のコマンド、及び表示対象データを、汎用バス１７を介して通じて、表示付き情報記録装置２の汎用バスインタフェース部２１、表示デバイス制御部２２へ出力する。一方、I／Oコントローラ１６は、CPU１１の制御下で、種々のコマンド、及びデータを、ストレージインタフェース１８を通じて表示付き情報記録装置２のインタフェース制御部２５との間で入出力する。I／Oコントローラ１６は、更に、上述した直流安定化電源回路（図示しない）から出力される直流電力を、記録部２４の駆動電力としてインタフェース制御部２５へ供給する。【００２７】
CPU１１は、ROM１２に格納される制御プログラムに従って、I／Oコントローラ１６を始め、ホスト機器１を構成する各部の動作を制御する。CPU１１は、例えば、RAM１４に一時的に記憶されている上述した表示対象データを、ROM１２に格納されている変換用APを起動することにより、記録部２４に記録されているデータ（「記録対象データ」）から変換する。【００２８】
本実施例によれば、ホスト機器１が生成した表示対象データと記録対象データとを、それぞれ汎用バス１７、及びストレージインタフェース部１８を介して直接、表示付き情報記録装置２に供給することができ、表示付き情報記録装置２のコストアップを防止することが可能となる。
【実施例２】
【００２９】
続いて、図２は、第２の実施例の情報処理装置の全体構成を示すブロック図である。同図において、図１と同一番号は同一のものを示す。本実施例においては、図１の汎用バス１７としてユニバーサル・シリアル・バス（Universal Serial Bus、以下、USBと略す。）、ストレージインタフェース部１８として、S-ATA、汎用バスインタフェース部２１として、USBインタフェース部２１１、表示デバイス２３として、電子ペーパー２３１が使用されている。本構成によれは、現在のiVDRの規格のインタフェースであるＳ−ＡＴＡをストレージインタフェースとしてそのまま使用でき、USBを表示対象データ用の汎用バスインタフェースとして持つことにより、容易に表示付き情報記録装置を構成することができる。【００３０】
電子ペーパー２３１は、表示デバイス制御部２２の制御下で、各種のデータを表示する。電子ペーパー２３１上に表示される表示対象データは、実施例１と同様、例えば、記録部２４に格納されている種々のコンテンツや、それらコンテンツに係わる諸情報や、記録部２４の空き容量や、記録部２４の所有者に係わる情報等が挙げられる。電子ペーパー２３１は、セグメント型電子ペーパーやマトリクス型電子ペーパーを用いることができる。【００３１】
また、図３に示すように、この電子ペーパーとして、セグメント型電子ペーパー２３２やマトリクス型電子ペーパー２３３、二つのタイプの電子ペーパーを設置し、表示デバイス制御部２２からそれぞれの表示を制御するよう構成することもできる。なお、セグメント型電子ペーパーは安価であり、例えば、残量表示に使用し、マトリクス型電子ペーパーは多彩な表現が可能であり、コンテンツ表示やデザイン表示に使用するなど、使い分けを行うことが可能となる。
【実施例３】
【００３２】
図４は、第３の実施例の情報処理装置の全体構成を示すブロック図である。本実施例は、ホスト機器１からみて、記録部２４と表示部２０が同じ情報機器筐体の中のものであるという一致を取ることが可能な情報処理システムの一例を示す。上述した第１、第２の実施例においては、表示部２０と記録部２４が同じ情報機器筐体中のものであるという一致をとる必要が出てくる場合がある。例えば、複数の表示付き情報記録装置が、ホスト機器に接続さる場合である。【００３３】
このため、本実施例の記録部２４と表示部２０の表示デバイス制御部２２にそれぞれ識別子（ID）を持たせ、ホスト機器１のCPU１１が両者の対応付けを図るよう動作する。以下、このCPU１１における対応付けを説明するため、記録部２４に情報を記録する書き込みフローを例に取り説明する。なお、図４における細矢印線はホスト機器１と表示付き情報記録装置２の間のデータ、表示データ、あるいは識別子(ID)等の流れを模式的に示している。【００３４】
図５は、本実施例の情報処理システムにおける、書き込みフローを示す図である。まず、ホスト機器１のCPU１１は、表示付き情報記録装置２の挿入を検出すると（Ｓ５１）、挿入された表示付き情報記録装置２の表示部のＩＤを汎用バス１７を介して取得し（Ｓ５２）、続いて記録部２４のIDをストレージインタフェース部１８を介して取得する（Ｓ５３）。その結果、各々IDを有する表示部２０と記憶部２４が一つの表示付き情報記録装置２に収容されたものであることを認識し、両者のIDを対応付けした記憶部であるRAM１４に記憶する（Ｓ５４）。【００３５】
続いて、データ書き込み処理を実行する（Ｓ５５）、上述の通りデータの記録部２４への書き込みは、I/Oコントローラ１６とストレージインタフェース１８を介して行われる。そして、書き込みが終了したら（Ｓ５６のＹ）、続いてIDによって対応付けられた表示部２０に表示データの書き込み処理を実行する（Ｓ５７）。なお、この書き込みデータは、記録部２４に書き込まれたデータを読み込み、読み込んだデータから抽出しても良いし、ホスト機器１が書き込む際に同時に作成しても良い。【００３６】
いずれにしても、RAM１４に記憶されたIDを用いて、同一の表示付き情報記録装置２へのデータ書き込みに対応した表示を、同一筐体内の表示部２０に表示することが可能となる。この表示部２０に表示される表示データは先に説明したとおり、記録部２４へのデータの書き込み終了後の記録部２４の空き容量や、書き込まれたデータの種々のコンテンツに係わる諸情報等であることは言うまでもない。
【実施例４】
【００３７】
図６（a）、(b)、(c)に表示付き情報記録装置である電子ペーパー付きiVDRの外観構成例である第４の実施例を示した。同図（a）は、表示部２０として、残量等を示すインジケータ６１を例示している。また、同図（ｂ）は、表示部２０として、コンテンツ内容等を表示するラベル６２を例示し、同図（ｃ）は表示部２０にインジケータ６１とラベル６２の両方を有する場合を例示する。ここで、インジケータ６１は先に説明したセグメント型電子ペーパーを、ラベル６２にマトリクス型電子ペーパーを利用することができる。
【実施例５】
【００３８】
次に、図７に、上述した第１−３の実施例の表示付き情報記録装置２であるiVDRプラグコネクタ（iVDR Plug Connector、以下コネクタと称す。）の構成の一例を実施例５として示す。図７は表示付き情報記録装置２の斜視図と、その端部に形成されるコネクタの外観構造とコネクタのピン配列の一例を示している。図８はこのピン配置におけるピンアサインを説明する図である。なお、図示説明を省略するが、ホスト機器１側には、このコネクタに対応するコネクタ嵌合部が形成されることは言うまでもない。【００３９】
図７に示すように、表示部２０を有するiVDRからなる表示付き情報記録装置２は、iVDRコンソーシアムの規格で定められたピン数を持つコネクタ２６を有する。現在の規格においては、全部で２６ピンのコネクタ構造を有し、ピン番号(Pin No.)の１−７はポートＡとして、S-ATAにアサインされている。本実施例の構成にあっては、ピン番号の１１−１４を、上述した表示部２０への汎用バスインタフェースとして機能するUSBにアサインする。なお、ピン番号１５−２０は、電源／グランド(Power/Ground)部、ピン番号２１−２２はPower ID部、ピン番号２３−２５はI/F-ID部である。【００４０】
図８のテーブル８１はそのアサインの一例の詳細を示す表を示している。先の実施例１−３との対応を説明すると、汎用バス１７、ストレージインタフェース１８にはそれぞれピン番号１−７、ピン番号１１−１４が対応することになる。なお、iVDRハードウェア規格において、ＩＤ部の各ピン中、ピン番号２１、２２はiVDRドライブに供給可能な電圧値の設定を行い、ピン番号２３−２５はポートＡ及びポートＢの設定を行うために用いられる。このピン番号２３−２５のI/F-IDの設定により、ポートＡ、ポートＢ、即ちストレージインタフェース部１８のS-ATA、汎用バスであるUSB共に利用可能な表示付き情報記録装置２とすることができる。
【実施例６】
【００４１】
続いて、図９を用いて上述した各実施例の表示付き情報記録装置の保存管理システム、或いは出荷管理システムへの一応用例を説明する。本システムにおいて、表示付き情報記録装置９２には表示部としてのラベル９３が設けられている。この表示付き情報記録装置９２には、例えばカムコーダー９１で撮影された映像情報が記録される。ラベル９３には記録された映像の内容を示すデータや整理に関するデータに対応するコード情報や文字が表示される。このコード情報としては、例えばＱＲコード（登録商標）などの二次元コードが表示される。この表示付き情報記録装置９２を保存管理、或いは出荷管理する場合、リーダー９４などを用いて、ラベル９３に表示される文字やコードを読み取り、管理データベース（DB）に登録すると共に、搬送ロボットなどの自動搬送車９６により、保存庫である所定の棚９７に収納する。そして、必要なときに、棚９７から自動的に取り出して、編集や放送で再使用したり、出荷をしたりすることができる。
【実施例７】
【００４２】
さて、以上の各実施例においては、表示付き情報記録装置について説明してきたが、表示デバイスの変わりにRF(Radio Frequency)タグを使用することも可能であり、その場合の情報処理装置の実施例を説明する。図１０は、RFタグ付き情報記録装置とこの記録装置を駆動するホスト機器からなる情報処理装置の全体構成を示すブロック図である。なお、同図で図４と同一番号は同一物を示している。１０２はRFタグ付き情報記録装置を示しており、RFタグ部１２０と記録部２４から構成され、RFタグ部１２０内には汎用バスインタフェース１２１を介してRFタグ制御部１２２が接続され、RFタグ制御部１２２はRFタグ１２３を制御する。また、RFDタグ制御部にはID１２２１が与えられる。【００４３】
本実施例のRFタグ付き情報記録装置１０２を用いることにより、図９に示したシステムへの応用を行うことができる。なお、図示を省略するが、この場合、リーダー９４はRFタグリーダーが使用されることは言うまでもない。
【産業上の利用可能性】
【００４４】
本発明は、情報記録装置、情報記録装置を駆動する情報処理装置、及びこれらを構成要素とする情報処理システムとして有用である。
【符号の説明】
【００４５】
１…ホスト機器、２…表示付き情報記録装置、１１…CPU、１２…ROM、１３…汎用バス制御部、１４…RAM、１５…バスライン、１６…I/Oコントローラ、１７…汎用バス、１８…ストレージインタフェース部、２０…表示部、２１、１２１…汎用バスインタフェース部、２２…表示デバイス制御部、２２１、１２２１…ID、２３…表示デバイス、２４…記録部、２４１…ID、２５…インタフェース部、２６…コネクタ、６１…インジケータ、６２…ラベル、８１…テーブル、９１…カムコーダー、９２…表示付き情報記録装置、９３…ラベル、９４…リーダー、９５…管理ＤＢ、９６…自動搬送車、９７…棚、１２０…RFタグ部、１２２…RFタグ制御部、１２３…RFタグ。
【図１】
2010035361.tif 000003
【図２】
2010035361.tif 000004
【図３】
2010035361.tif 000005
【図４】
2010035361.tif 000006
【図５】
2010035361.tif 000007
【図６】
2010035361.tif 000008
【図７】
2010035361.tif 000009
【図８】
2010035361.tif 000010
【図９】
2010035361.tif 000011
【図１０】
2010035361.tif 000012
【図１１】
2010035361.tif 000013
【国際調査報告】
2010035361.tif 000014
2010035361.tif 000015